(57)【特許請求の範囲】
【請求項１】
収集したスカム含有汚水を一定個所に給送する汚水供給管と、給水管を通じて導入された水に対し加圧用バルブによる一定の加圧作用により空気を溶解させて導出するようにしたバルブ付き空気溶解手段と、浮上分離槽とを有し、浮上分離槽は、その槽底部に浮上誘導装置を、また槽上部にスカム排出装置を備え、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されて浮上してくるスカムを斜面ガイド付きスカムガイドを介して取り込み可能に構成されている加圧浮上式スカム分離処理装置において、前記浮上誘導装置は、浮上誘導槽を備え、この浮上誘導槽には、前記バルブ付き空気溶解手段に対応する部分が下部内に構成され、槽上部には前記汚水供給管の出口部分が連通して接続されていることを特徴とする加圧浮上式スカム分離処理装置。
【請求項２】
請求項１に記載のものにおいて、浮上誘導槽は、浮上分離槽の底部外側に脱着可能に設けられている加圧浮上式スカム分離処理装置。
【発明の詳細な説明】
【技術分野】
【０００１】  本発明は、加圧浮上式スカム分離処理装置に関する。
【背景技術】
【０００２】  収集したスカム含有汚水を浮上分離槽に導入するに当って加圧によりエアーを溶解させた水を伴って減圧下で噴出させてスカムの浮上を促進させることにより浮上したスカムを上部より排出するようにした加圧浮上方式は既に知られている技術である。そうした技術に関連するものとして、特許文献１に開示された技術がある。
【先行技術文献】
【特許文献】
【０００３】
【特許文献１】特許第４２３８２９７号
【発明の概要】
【発明が解決しようとする課題】
【０００４】  上記特許文献１による技術は、浮上したスカムを加圧浮上濃縮槽（浮上分離槽）に設けられたスカム排出トラフに向けて掻寄せるスクレーパと、前記加圧浮上濃縮槽の槽壁上部で、かつ、湾曲中心位置がその加圧浮上濃縮槽側に位置するように形成された湾曲面と、回転軸を有するとともに、その回転軸に羽根を有する、前記スクレーパで掻寄せられたスカムを前記スカム排出トラフに排出する前記湾曲面近くに設けられた排出機と、前記排出機の回転軸を回転駆動するとともに、その回転数を調整する機能を有する駆動源と、を有することを特徴とする。
このスカム加圧浮上濃縮装置は、浮上したスカムを加圧浮上濃縮槽から排出するとともにこれらのスカムを遠く離れたスカム処理施設へ円滑に搬送できるようにしたものであるが、ここで浮上させたスカムを排出する手段は、掻寄板を外周に突設したチェーンであるスクレーパと、湾曲面に添って運動する掻上羽根付きで回転軸回りを回転する排出機とでなり、排出機からのスカムをスカム排出トラフへ排出するようにしたものであり、従って、浮上したスカムは水分を充分に含んでおりそれをそのまま排出するため、スカム処理施設への搬送に無駄な電力を消費し、しかも搬送先でスカムと水分とを分離する必要が出てくる。【０００５】  そうした問題、即ち、浮上分離槽で浮上するスカムを圧縮作用で水切りしながら掻揚排出することにより排出後の搬送を省エネのもとに可能とししかも搬送先でのスカムと水分との分離工程を極力簡略化することができるようにした加圧浮上式スカム分離処理装置を本出願人は先に提案した（特願２０１２−１８５８３８）。
その提案内容の一つは、図１ないし図３の実施形態として示されている。
この加圧浮上式スカム分離処理装置において、１は浮上分離装置で、上方を開放状とし上からみて矩形槽とした浮上分離槽２を備える。浮上分離槽２は、槽本体３と分離槽５とを仕切り壁４を介して有し、これら槽本体３と分離槽５内には、レベルＨまで汚水６および分離水７が溜められる。８は連通管で、槽本体３と分離槽５とをつなぐパイプで、前後端にフィルター９を備えて浄化された水が分離水７として分離槽５内に導入されるようになっている。１０はオーバーフロー口で、前記水位Ｈを決めるもので、その水位Ｈは可動堰により上下に調節可能としてもよい。分離槽５内の分離水７は、このオーバーフロー口１０を通じて外部に排出される一方、分離槽５の底部からは、給水ポンプ１２の作動により給水管１１を通じて分離水７が引き抜かれ後述する加圧式空気溶解装置４５に導入されるようになっている。【０００６】  槽本体３内の下部には、減圧弁を兼ねた複数のノズル１３を備える供給管１４が槽本体３の前後方向に軸心を向けるようにして単一本あるいは複数本配備されている。槽本体３と分離槽５とでなる浮上分離槽２の上部には、スカム排出装置であるスクリュウコンベア１７が約１５度傾斜した状態で固定設置されている。スクリュウコンベア１７は、内径約３００ｍｍの円筒状をなすケーシング１８を備えるとともに、このケーシング１８の傾斜方向下部一端（テール側）は、閉止したものとされて槽本体３の前側（図１の左側）に固定支持される一方、傾斜方向上部一端（ヘッド側）は、同じく閉止したものとされて浮上分離槽２の後側（図１の右側）に張り出した状態で固定されている。【０００７】  ２０はスカム取込口で、ケーシング１８の傾斜方向下部一端から傾斜方向上方へ離れた下周り位置に下からみると矩形の開口として形成されたもので、汚水６上に浮上してくるスカムＳを取り込むのに適応した位置に設けられている。２２はスクリュウ軸（あるいはパイプ）で、ケーシング１８の中心を通りその両端は軸受で回転自在に支持されるとともに、同スクリュウ軸２２の外周には掻揚スクリュウ２３が設けられている。掻揚スクリュウ２３は、板をラセン状にしたスクリュウ本体２３ａを備え、この本体２３ａは、上端がケーシング１８の上部端から７０ｃｍ程度手前に端部があるように形成されている。【０００８】  本体２３ａのスカム取込口２０に対応する長さ以上の長さＬに亘る周縁部には、前記傾斜方向上方へ向けて突出する掬い揚げ突条２３ｂがラセン帯板として一体に設けられている。ここで、図１、図２および図３の１９はスカムガイドを示す。浮上分離槽２の槽本体３は、その上方を開放したままにしてその槽内全面が水面となるようにして汚水６を溜めておきそこにスカムＳを浮上させる方式にしておくと、スカム取込口２０へのスカムＳの取り込みは消極的なものになる。そこで、汚水６から微細気泡とともに浮上してくるスカムＳをスカム取込口２０に確実かつ積極的に取り込めるようにスカムガイド１９を設けたものである。【０００９】  スカムガイド１９は、図３にその詳細を示すように、前・後の斜面ガイドａ、ｂおよび左・右の斜面ガイドｃによる逆四角錐状のものとされて槽本体３内に周縁を隙間なく接することで固定されている。これら４面の���面ガイドａ〜ｃの上部中央には、四角な連通筒ｅが一体に設けられている。【００１０】  この連通筒ｅは、左右の傾斜板状の対向壁ｆと前後の壁ｇ、ｈとを有する上下貫通状の筒部となっており、対向壁ｆは、図３のケーシング１８のスカム取込口２０の外縁に添って溶接されるように構成される一方、前後のうち前側の壁ｇは低く後側ｈを高くしてその上側に半円より短い円弧形の嵌合受溝ｉ、ｊを形成することで、これら嵌合受溝ｉ、ｊにスカム取込口２０の前後の外縁部が嵌まり込んで溶接されるようになっている。このように連通筒ｅがスカム取込口２０の外縁に適合することで、浮上してきたスカムＳが途中で詰まったりすることなく取り込まれることになる。図１および図２におけるＨは、汚水６の水面を示し、この水面Ｈは、連通筒ｅの嵌合受溝ｊの溝底高さ程度とされている。【００１１】  スクリュウ軸２２の傾斜方向上部周りには、圧縮受盤２６が装備されている。圧縮受盤２６は、掻揚スクリュウ２３によって掻き揚げられてくるスカムを圧縮したのち排出口３５から排出するように反発バネ３３を備えて進退自在なものとされている。排出口３５には、搬送コンベア３６上のコンテナ３７内に圧縮済みのスカムを落とし込むためのシュート３８が設けられている。図１の４０は減速モーターである駆動源（駆動手段）で、伝導手段４１を介してスクリュウ軸２２を図２の矢印方向に回転駆動させるようになっている。【００１２】  図１における４５は加圧式空気溶解装置で、複数の空気溶解槽４６…を備える。各空気溶解槽４６には、並列式の入側配管４７を通じて前記給水管１１が連通されるとともに、出側配管４８とそれをまとめた合流管４９を通じて前記供給管１４に連通式に接続がなされている。各空気溶解槽４６の入側と出側には自動弁５０，５１が設けられている。
空気溶解槽４６内には、その下部一側寄りに空気ノズル５３が設けられ、循環仕切板５４の周りを空気が循環運動しながら内水に空気が溶解するようになっている。空気ノズル５３は、各空気パイプ５５を通じてブロア５６またはコンプレッサーなどの給気手段に接続されている。また、空気パイプ５５のそれぞれには空気自動弁５７が制御自在に設けられている。
６０は汚水受槽で、沈澱池や濃縮槽などからの収集されたスカム含有汚水６１が導入されてくる。同受槽６０と前記合流管４９との間は汚水供給管６２で接続され、その管上には汚水ポンプ６３が設けられている。【００１３】  この加圧浮上式スカム分離処理装置の作用を説明する。入側自動弁５０（空気あるいは電動作動式）を開放したもとで、給水ポンプ１２を運転して分離槽５内の分離水７を一方の空気溶解槽（加圧水タンク）４６へ供給する。次に、一方の空気溶解槽４６に対応する自動弁５７を開くとともにブロア５６あるいはコンプレッサを運転して空気ノズル５３によって微細化空気を空気溶解槽４６内に噴入することにより一方の空気溶解槽４６内の圧力を高めかつ内水を循環流とすることにより微細空気を内水に溶解させる。
その後、汚水ポンプ６３を運転してスカム含有汚水６１を汚水供給管６２まで送ると、それと同時に一方の空気溶解槽４６に対応する出側自動弁５１を開き、それによりスカム含有汚水と空気の溶解した加圧水とを混合させ、その混合したものが、合流管４９および供給管１４からノズル１３…を通じて浮上分離槽２の槽本体３内に減圧された形で送り込まれる。【００１４】  送り込まれた混合水からの微細気泡はスカムを付着して浮上してゆく。浮上したスカムＳは、スカムガイド１９による斜面ガイドにより円滑に案内されながらスカム取込口２０に取り込まれ、掻揚スクリュウ２３に付した掬い揚げ突条２３ｂによる掬い揚げ機能により確実に掬い揚げられることになる。掬い揚げられたスカムＳは、反発バネ３３に抗して圧縮受盤２６を押上げてゆき、脱水作用を受けたのち排出口３５よりシュート３８へと排出される。【００１５】  空気溶解槽４６が複数槽設けられていると、スカム含有汚水が多量化した場合に活用される。即ち、スカム含有汚水が通常量の場合には、一方の空気溶解槽４６のみで充足できるが、多量化した場合にはそれだけでは応じきれないので、他方の空気溶解槽４６も並行して運転し、図例の２本槽の場合には、一方の空気溶解槽４６において給水から加圧溶解をしさらに排出運転がなされる間それに時間差をもって並行して他方の空気溶解槽４６において同じ給水→加圧溶解→排出運転をすることで排出工程を連続して行うことができるものである。例えば、一方の空気溶解槽４６からの排出が終わるタイミングに他方の空気溶解槽４６からの排出開始タイミングを略合わせることで行われる。３本以上の空気溶解槽４６を構成した場合も同様のタイミングを設定する。【００１６】  ところで、図１に示す加圧浮上式スカム分離処理装置においては、スカム含有汚水と空気の溶解した加圧水との混合でなる汚水を、槽本体３に横向きに通した供給管１４に列状に配備の複数のノズル１３…を通じて槽本体３内の広い横断面域に線上分散状になるようにして汚水を噴き上げることでスカムＳを浮上分離させるようにしていたので、広い横断面域の何処をとってみてもスカムＳの浮上分離作用が活発さのない弱いものになってしまい、しかもスカム取込口に集中させて浮上させるのでなく同取込口から離れたところにまで亘るようにしてスカムＳを浮上させるのでそれらのスカムＳは取込口まで浮上して移行するのに一定の時間がかかってしまうことなどにより、スカムＳは完全に浮上状態を維持して取込口を通じて直ぐに取り込まれるのでなく、その殆どは沈降現象を発生することになって、スカムＳの浮上分離が速くかつ多量に得られず、その結果、その後のスクリュウコンベア１７による排出を含む全体の流れとしてスカム回収の効率化が図れないという問題が出てきた。また、ノズル１３による汚水の噴き出し方式は目詰まりを発生するおそれもあり、前記スカムの回収効率の低下の要因にもなっていた。【００１７】  本発明は、こうした問題を解決しようとするものであり、浮上誘導装置での目詰まりの発生をなくしてスカムの回収を効率化することができるようにするとともに、浮上誘導装置を空気溶解手段やスカム含有汚水の供給機能部分を含むものとしてスカム分離処理装置に���括統合することで、装置全体の構造の簡略化とコンパクト化および搬送・設置の簡便化を図ることができるようにした加圧浮上式スカム分離処理装置を提供することを目的とする。
【課題を解決するための手段】
【００１８】  本発明は上記目的を達成するため、請求項１に記載の発明は、収集したスカム含有汚水を一定個所に給送する汚水供給管と、給水管を通じて導入された水に対し加圧用バルブによる一定の加圧作用により空気を溶解させて導出するようにしたバルブ付き空気溶解手段と、浮上分離槽とを有し、浮上分離槽は、その槽底部に浮上誘導装置を、また槽上部にスカム排出装置を備え、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されて浮上してくるスカムを斜面ガイド付きスカムガイドを介して取り込み可能に構成されている加圧浮上式スカム分離処理装置において、前記浮上誘導装置は、浮上誘導槽を備え、この浮上誘導槽には、前記バルブ付き空気溶解手段に対応する部分が下部内に構成され、槽上部には前記汚水供給管の出口部分が連通して接続されていることを特徴とする。
請求項２に記載の発明は、請求項１に記載のものにおいて、浮上誘導槽は、浮上分離槽の底部外側に脱着可能に設けられている。
【発明の効果】
【００１９】  上述したように請求項１に記載の発明は、収集したスカム含有汚水を一定個所に給送する汚水供給管と、給水管を通じて導入された水に対し加圧用バルブによる一定の加圧作用により空気を溶解させて導出するようにしたバルブ付き空気溶解手段と、浮上分離槽とを有し、浮上分離槽は、その槽底部に浮上誘導装置を、また槽上部にスカム排出装置を備え、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されて浮上してくるスカムを斜面ガイド付きスカムガイドを介して取り込み可能に構成されている加圧浮上式スカム分離処理装置において、前記浮上誘導装置は、浮上誘導槽を備え、この浮上誘導槽には、前記バルブ付き空気溶解手段に対応する部分が下部内に構成され、槽上部には前記汚水供給管の出口部分が連通して接続されていることを特徴とするので、浮上誘導装置での目詰まりの発生をなくしてスカムの回収を効率化することができるようにするとともに、浮上誘導装置を空気溶解手段やスカム含有汚水の供給機能部分を含むものとしてスカム分離処理装置に一括統合することで、装置全体の構造の簡略化とコンパクト化および搬送・設置の簡便化を図ることができるようにした加圧浮上式スカム分離処理装置を提供することができる。
請求項２に記載の発明は、請求項１に記載のものにおいて、浮上誘導槽は、浮上分離槽の底部外側に脱着可能に設けられているので、浮上誘導槽内およびその関連配管さらに槽本体内などのメンテナンスが容易に行える加圧浮上式スカム分離処理装置を提供することができる。
【図面の簡単な説明】
【００２０】
【図１】  従来の加圧浮上式スカム分離処理装置の一例を示す断面模式図。
【図２】  図１のＡ部を拡大して示す断面図。
【図３】  図１のスカムガイドの詳細を示す斜視図。
【図４】  本発明の加圧浮上式スカム分離処理装置の一実施形態を示す断面模式図。
【図５】  図４の浮上誘導装置の拡大断面図。
【図６】  図５のＶＩ−ＶＩ線断面図。
【図７】  他の実施形態を示す縦断面図。
【図８】  他の実施形態を示す縦断面図。
【図９】  図８のＩＸ−ＩＸ線拡大断面図
【図１０】  他の実施形態を示す断面模式図。
【図１１】  他の実施形態を示す断面模式図。
【発明を実施するための形態】
【００２１】  図４ないし図６は本発明の一実施形態を示している。この実施形態において浮上分離装置１は本発明の要部である一部を除いて図１の従来例と同様であるので同様な部分については同一の符号を付して説明に代える。浮上分離装置１の槽本体３は、設置基盤から一定高さ（例えば、２ｍ前後）の架台６６上に脱着可能に載せ付けられている。図４における架台６６は、脚台６７と載置台６８が図示されている。
【００２２】  槽本体３の底壁７０には、スカム取込口２０の下方に同心状に対応するように浮上誘導槽７１が脱着可能に載置固定されている。浮上誘導槽７１は、直径３００ｍｍ程度の丸形の筒体で、三角筒形や四角筒形でもよいもので、その下端周りのフランジ７２を底壁７０上に脱着可能に止め付けることで同浮上誘導槽７１を立設固定するようになっている。この浮上誘導槽７１の脱着は、例えば、図４の密閉蓋７３の開閉によりなされる。浮上誘導槽７１は浮上誘導装置７４の一部で、その下端内には、底壁７０を通じて通された圧力空気供給管７５の上端口が臨み、その上方には側蓋７６の開閉によりメンテナンス可能としたメッシュ状空気微細化ユニット７７がセットされている。空気微細化ユニット７７は、下側から順に粗目・中目・細目・微細目のように異なるメッシュ度のものを積層状に組み合わせて構成してあり、このユニット７７をさらに複数ユニット積層配備することもある。７８はコンプレッサ（あるいはブロア）である空気供給源で、自動弁７９をもつ圧力空気供給管７５を通じて浮上誘導槽７１の下部内空間に連通している。７５ａは丸皿状の拡散盤で、加圧空気を拡散して空気微細化ユニット７７の広い面積を通過させて微細化が効果的になされるようにするものである。
【００２３】  ８０はエルボ形をした給水ノズルで、給水管１１の末端に取り付けられるとともに浮上誘導槽７１の側面から空気微細化ユニット７７の上側である加圧溶解室８１内に連通するようにして接続されている。８３は通孔８４を中央に開けた下仕切板で、浮上誘導槽７１の中段高さに横断状に一体化され、また８５は複数の導出孔８６を開けた上部仕切板であり、浮上誘導槽７１の中段より少し上寄りに横断状に一体配置されている。上部仕切板８５の中央にはボス８７が設けられてバルブ軸８８が上下摺動可能とされるとともに加圧用バルブ８９が通孔８４を開閉するように設けられている。９０は加圧用の（コイル）バネで、バルブを重くすることにより加圧する錘式（図７参照）のものにしてもよい。浮上誘導槽７１は上向きにストレートに伸び、その上部には、汚水供給管６２の末端に備えたエルボ型の汚水浮上ノズル９１が上方へ噴上げるようにして連通して接続されている。
【００２４】  浮上誘導槽７１の上端には、図５に仮想線で示すように、テーパー状の窄まり部９２を備えることによって加圧浮上しようとする直前の空気混じりの汚水が一旦絞られその直後に拡散作用が大きく得られることになることでスカムがより活発に発生するようにしてもよいし、図５の右欄のようにその窄まり部９２と浮上誘導槽７１との間に噴き上がり用の通口９３を設けてスカムの浮上・拡散がより抵抗なく円滑になされるようにしてもよい。また、図５の左欄のように浮上誘導槽７１の上端に絞り胴９２を付けて絞りと拡散を積極的に行わせることでスカムＳの発生をより効果的なものにしてもよい。
【００２５】  浮上分離槽２内には、汚水６が図４のＨレベルまで導入されるとともに、分離槽５内でもＨレベルまで分離水７が分離供給される。給水ポンプ１２と空気供給源７８が駆動されるとともに汚水ポンプ６３も駆動されると、加圧溶解室８１内では、加圧用バルブ８９が閉じた状態で分離水が導入されるとともに加圧空気も微細化されて供給され溶解状態となり、さらに内圧が一定以上になることで加圧用バルブ８９が開いて導出孔８６…を通じて空気溶解状態の分離水が噴出してゆく。それとともに汚水供給管６２からのスカム含有汚水が浮上誘導パイプ７１上部内に導入され、前記空気溶解状態の分離水と激しく混合して上向きに浮上噴出してゆき、これにより、スカムＳがスカムガイド１９上部へ向けて浮上集積してスカム取込口２０を通じてスクリュウコンベア１７で掻き揚げ処理されることになる。尚、図４のＸはドレンで、ここから水抜きすることで浮上誘導装置７４の各部メンテナンスが可能になる。その作業は側蓋７３を開くことでなされるが、側蓋７３を開いて浮上誘導装置７４を一旦取り外して作業することも可能である。
【００２６】  図７は他の実施形態を示す。この実施形態は、浮上誘導装置７４の各部メンテナンスを容易化するため、浮上誘導装置７４の浮上誘導槽７１は、浮上分離槽３の底部外側に脱着可能に取り付けられている。浮上誘導槽７１は、下部パイプａと上部パイプｂとにより上下分割式で中間フランジｃ同士を介して脱着可能とし、さらに、下部パイプａには下端フランジｄが上部パイプｂには上端フランジｅが設けられ、下端フランジｄには下蓋ｆが脱着自在に閉止され、上端フランジｅは底壁７０の外側面に脱着自在に止め付けるようにする。浮上誘導槽７１の上端開口は底壁７０の底孔７０ａに合致させる。９５は拡縮パイプで、浮上誘導槽７１の上端に取り付けて槽３内に臨むようにすることもできるもので、この拡縮パイプ９５は、一時的な絞り作用を伴なわせてその後の拡散をより効果的なものにしてスカムの浮上作用をさらに積極的なものにする目的をもつものになっている。図７の装置は図４のような架台６６によって２ｍ前後の高いところに載置固定されていることからその装置底部には作業可能なスペースが広く提供され各種配管の脱着や浮上誘導槽７１の脱着などのメンテナンスが容易に行えるようになっている。その他は前記と同じ符号を付して説明に代える。ボス８７は、上部仕切板８５にねじにより上下調節可能とされ、この調節によりバネ９０の反発力を調節できることにより分離水の中への空気の溶解度を高低に調節することができる。そして、このボス８７はレバー８７ａを掴んで回すことにより回転操作可能とされ、その回転操作には、上部側蓋７６ｂを開けることでなされる。７６ａは下部側蓋である。
【００２７】  尚、図７の右欄に示すように、加圧付加手段として一定のウエイトをもつフラップ弁９６を装備してバネ式に代えて構成することもある。このフラップ弁９６は、分離水に微細エアーによる過飽和溶解をさせてのち微細空気溶解水の圧力により開き動作をして微細空気溶解水を浮上誘導槽７１の上部室に導いてスカム含有汚水と攪拌混合されるようにするもので、図５の実施形態にも採用することができる。さらに、フラップ弁９６には引きバネｇを引っ掛けて圧力調節可能とすることがある。
また、図８に示すように、浮上誘導槽７１を下部をストレート形とし上部を拡縮パイプ９５（図７）の絞り機能をもたせた先窄まりのコーン形としてスカムＳの浮上効果アップをこの一体コーン部分により達成するようにしてもよい。この実施形態は図５の実施形態にも適用することができる。
さらに、図９に示すように、浮上誘導槽７１に接続される汚水浮上ノズル９１は、螺旋流を起生可能な斜め挿通型にしてもよい。
【００２８】  図１０は、底壁７０に対して浮上誘導装置９７を内部構成を水平軸式組み込んで横付け式にして脱着可能も可能に取り付けた他の実施形態を示す。この浮上誘導装置９７は、上面一部を浮上のため開放状とした角筒ボックス型をした浮上誘導槽９８を上フランジ９９を介して底壁７０に取り付け、その一端に圧力空気供給管７５を、また他端側に汚水供給管６２を接続するとともに、内部には空気微細化ユニット７７とバルブ８９を備えて給水管１１に連通させてある。浮上誘導槽９８の混合浮上用の左室は底壁７０に開けた底孔１００に連通させてある。
尚、右上欄のように、フラップ弁９６を備えたタイプとすることもできる。
【００２９】  図１１は、底壁７０に対し斜め筒式をした浮上誘導装置１０３を接続してスカム浮上を図るようにした実施形態を示す。この浮上誘導装置１０３は、くの字形に屈曲した筒形の浮上誘導槽１０４を備え、一端の上フランジ１０５を底壁７０に添わせて脱着可能に取り付けられている。
尚、右上欄のように、フラップ弁９６を備えたタイプとすることもできる。
【符号の説明】
【００３０】  １…浮上分離装置  ２…浮上分離槽  ３…槽本体  ５…分離槽  １７…スクリュウコンベア  ２０…スカム取込口  ２２…スクリュウ軸  ２３…掻揚スクリュウ  ３５…排出口  ４０…駆動源（駆動手段）  ７０…底壁  ７１、９８，１０４…浮上誘導槽  ７４、９７，１０３…浮上誘導装置  ７７…空気微細化ユニット  ７８…空気供給源  ８９、９６…加圧用バルブ。
【要約】
【課題】  浮上誘導装置での目詰まりの発生をなくしてスカムの回収を効率化することができるようにするとともに、浮上誘導装置を空気溶解手段やスカム含有汚水の供給機能部分を含むものとしてスカム分離処理装置に一括統合することで、装置全体の構造の簡略化とコンパクト化および搬送・設置の簡便化を図ることができるようにした加圧浮上式スカム分離処理装置を提供すること。
【解決手段】  浮上誘導装置は、浮上誘導槽を備え、この浮上誘導槽には、前記バルブ付き空気溶解手段に対応する部分が下部内に構成され、槽上部には前記汚水供給管の出口部分が連通して接続されていることを特徴とする。
【選択図】図４【図１】
0005509407.tif 000002
【図２】
0005509407.tif 000003
【図３】
0005509407.tif 000004
【図４】
0005509407.tif 000005
【図５】
0005509407.tif 000006
【図６】
0005509407.tif 000007
【図７】
0005509407.tif 000008
【図８】
0005509407.tif 000009
【図９】
0005509407.tif 000010
【図１０】
0005509407.tif 000011
【図１１】
0005509407.tif 000012